(57)【要約】      （修正有）【課題】キャリーハンドルの形状を円形状に、且つキャリーハンドルの両端が回転可能でその回転角度を調整可能に構成することができるスーツケースのキャリーハンドルを提供する。  【解決手段】キャリーハンドルは、第１部材２０と第２部材２１とを前後に重ね合わせて円形状に構成するとともに、その円形状のキャリーハンドルの一部に前記押しボタン３０を露出させて構成する。押しボタン３０による操作に基づき、キャリーハンドルの内部に設けた押しボタン３０連動アームの斜角ブロックと、コントロールブロックの斜角係合溝部との係合を行ったりあるいは解除することによって、連動糸を上移動または下移動させ、その結果、内管７、外管６の動きを規制または解除するとともに、キャリーハンドルの回転状態の制御が可能となる。【選択図】図１
0003154300.tif 000002
【実用新案登録請求の範囲】
【請求項１】
スーツケースから上方に延びた一対の外管に内管を伸縮自在に設け、前記一対の内管の上端間にキャリーハンドルを架設し、前記キャリーハンドルを、押しボタン、第１部材、第２部材により構成するスーツケースのキャリーハンドル構造において、
前記一対の内管の上端と前記キャリーハンドルとの間に、軸穴を有する管台をそれぞれ設け、これらの管台の軸穴に、前記キャリーハンドルの回転状態を規制する定置台を組み合わせて前記キャリーハンドルを回転可能に構成し、
前記キャリーハンドルは、前記第１部材と前記第２部材とを前後に重ね合わせて円形状に構成するとともに、その円形状のキャリーハンドルの一部に前記押しボタンを露出させ、前記キャリーハンドルの両端側内部に、軸柱および斜角係合溝部を有するコントロールブロックをそれぞれ設け、これらのコントロールブロックの前記軸柱を前記定置台に係合するとともに、前記軸柱を、前記内管内に挿通され前記内管の伸縮を制御する連動糸に連結して構成し、
前記キャリーハンドルを構成する前記第１部材と前記第２部材との内部に、前記押しボタンと連設するボタン連動アームを設けるとともに、このボタン連動アームの両端側に、前記コントロールブロックの前記斜角係合溝部に係合可能な斜角ブロックを設けて構成し、
前記キャリーハンドルの押しボタンにより、前記一対の内管の伸縮およびその定置付けを制御するとともに、前記定置台による前記ハンドルの回転状態を制御して前記ハンドルを垂直状態あるいは傾斜状態に調整可能とすることを特徴するスーツケースのキャリーハンドルの構造。
【請求項２】
前記定置台の中に円形配列の内歯を設け、前記コントロールブロックの軸柱に円形配列の定置歯を設け、前記軸柱を定置台に組み入れた際、前記軸柱の定置歯は定置台の内歯が互いに噛合するため、前記軸柱が回転できず、前記キャリーハンドルも定置付けして回転できないことを特徴とする請求項１に記載のスーツケースのキャリーハンドル構造。
【考案の詳細な説明】
【技術分野】
【０００１】
本考案は、スーツケースのキャリーハンドルの構造に係り、特にキャリーハンドルを円形状でかつ回転可能に構成するとともに、ニーズに合わせてその回転角度の調整が可能なスーツケースのキャリーハンドル構造に関する。
【背景技術】
【０００２】
従来のスーツケースのキャリーハンドル構造は、図７に示すとおり、スーツケースから上方に延びた一対の外管１に内管２を伸縮自在に設置し、一対の内管２の上端間にキャリーハンドルを架設し、前記キャリーハンドルは、押しボタン５、上下部品である第１部材３、第２部材４により構成されている。この押しボタン５が、内管２の延伸及び定置付けを制御するようになっている。
【０００３】
第１部材３と第２部材を上下に組み合わせて構成されるキャリーハンドルは、図７に示すように、前記一対の内管２の伸縮方向に対して略鉛直な方向に延出される方形に形成されている。
【０００４】
このようなキャリーハンドルを有するスーツケースの従来技術としては、例えば、特許文献１に記載されているように、キャリーバーをスーツケース体に固定、或いはスライド可能に設け、このキャリーバーに相対し、横方向に回転する略棒状の回転ハンドルを設けるとともに、スーツケース体の前記キャリーバー側の面にサポートフレームキャスターユニットを設けたスーツケース構造がある。
【先行技術文献】
【特許文献】
【０００５】
【特許文献１】実用新案登録第３１５２２２７号公報
【考案の概要】
【考案が解決しようとする課題】
【０００６】
解決しようとする問題点は、下述の点である。  
従来のキャリーハンドルは、方形に形成され、かつその両端が内管２に固定されるため、内管２に対して角度を変えられない構造である。  
そのため、使用者は、スーツケースを引っ張る(或いは押す)場合、内管２、外管１が傾斜するため、スーツケースも必然的に傾斜することなる。すると、スーツケースの重さは、自然と外管１、内管２にかかり、使用者が握るキャリーハンドルにも荷重されてしまうため、手の平が痛く、疲労などの問題を引き起こしてしまい、円滑にスーツケースを引っ張ったり、或いは押したりして移動することができない。
【０００７】
また、特許文献１は、サポートフレームキャスターを設けたことで、利便性を高めてはいるものの、単に回転ハンドルをキャリーバーの横方向のみに回転可能に構成しただけでは、スーツケースを傾けて引っ張ったり、或いは押したりする場合は、上記従来例と同様に、スーツケースが傾斜することになるので、使用者の手に負担がかかってしまったりする等の問題があり、前記問題を解決するには至っていない。
【０００８】
そこで、本考案は、これらの事情に鑑みてなされたもので、キャリーハンドルの形状を円形状に、且つキャリーハンドルの両端が回転可能でその回転角度を調整可能に構成することができるスーツケースのキャリーハンドル構造を提供することを目的とする。
【課題を解決するための手段】
【０００９】
本考案によるスーツケースのキャリーハンドル構造は、スーツケースから上方に延びた一対の外管に内管を伸縮自在に設け、前記一対の内管の上端間にキャリーハンドルを架設し、前記キャリーハンドルを、押しボタン、第１部材、第２部材により構成するスーツケースのキャリーハンドル構造において、
前記一対の内管の上端と前記キャリーハンドルとの間に、軸穴を有する管台をそれぞれ設け、これらの管台の軸穴に、前記キャリーハンドルの回転状態を規制する定置台を組み合わせて前記キャリーハンドルを回転可能に構成し、
前記キャリーハンドルは、前記第１部材と前記第２部材とを前後に重ね合わせて円形状に構成するとともに、その円形状のキャリーハンドルの一部に前記押しボタンを露出させ、前記キャリーハンドルの両端側内部に、軸柱および斜角係合溝部を有するコントロールブロックをそれぞれ設け、これらのコントロールブロックの前記軸柱を前記定置台に係合するとともに、前記軸柱を、前記内管内に挿通され前記内管の伸縮を制御する連動糸に連結して構成し、
前記キャリーハンドルを構成する前記第１部材と前記第２部材との内部に、前記押しボタンと連設するボタン連動アームを設けるとともに、このボタン連動アームの両端側に、前記コントロールブロックの前記斜角係合溝部に係合可能な斜角ブロックを設けて構成し、
前記キャリーハンドルの押しボタンにより、前記一対の内管の伸縮およびその定置付けを制御するとともに、前記定置台による前記ハンドルの回転状態を制御して前記ハンドルを垂直状態あるいは傾斜状態に調整可能とすることを特徴する。
【考案の効果】
【００１０】
本考案のスーツケースのキャリーハンドル構造は、キャリーハンドルの形状を円形状に、且つキャリーハンドルの両端が回転可能でその回転角度を調整可能に構成することができるので、スーツケースを動かす際、スーツケース全体を傾斜させず、キャリーハンドルの角度を変えるだけで、楽に押して（或いは引っ張ったりして）移動することができ、手が疲れにくいといった利点がある。
【図面の簡単な説明】
【００１１】
【図１】本考案の一実施例に係るスーツケースのキャリーハンドル構造の主要構成部分の構成を示す斜視図。
【図２】図１の分解組立図。
【図３】押しボタンの非押下時において、内管係合状態のキャリーハンドル及び主要構成部分の断面図。
【図４】押しボタンの押下時において、内管伸縮状態のキャリーハンドル及び主要構成部分の断面図。
【図５】キャリーハンドルを回転させて垂直状態に配置した状態の側面図。
【図６】キャリーハンドルを回転させて所望の角度に配置した状態の側面図。
【図７】従来のキャリーハンドル構造を示す斜視図。
【考案を実施するための形態】
【００１２】
以下、図面を参照して本考案の実施例について説明する。  
図１は、本考案の一実施例に係るスーツケースのキャリーハンドル構造の主要構成部分の構成を示す斜視図、図２は、図１の分解組立図、図３は、押しボタンの非押下時において、内管係合状態のキャリーハンドル及び主要構成部分の断面図、図４は、押しボタンの押下時において、内管伸縮状態のキャリーハンドル及び主要構成部分の断面図、図５は、キャリーハンドルを回転させて垂直状態に配置した状態の側面図、図６は、キャリーハンドルを回転させて所望の角度に配置した状態の側面図である。
【００１３】
図１から図６に示すように、スーツケースのキャリーハンドル構造は、スーツケースから上方に延びた一対の外管６に内管７を伸縮自在に設け、前記一対の内管７の上端間にキャリーハンドルを架設し、キャリーハンドルは、押し押しボタン３０、第１部材２０、第２部材２１により構成されている。
【００１４】
本実施例では、前記一対の内管７の上端と前記キャリーハンドル（２０、２１）との間に、軸穴１１を有する管台１０をそれぞれ設け、これらの管台１０の軸穴１１に、前記キャリーハンドルの回転状態を規制する定置台１２を組み合わせて前記キャリーハンドルを回転可能に構成している。
【００１５】
前記キャリーハンドルは、前記第１部材２０と前記第２部材２１とを前後に重ね合わせて円形状に構成するとともに、その円形状のキャリーハンドルの一部に前記押し押しボタン３０を露出させるように構成する。
【００１６】
また、前記キャリーハンドルの両端側内部に、軸柱２５および斜角係合溝部２４を有するコントロールブロック２３をそれぞれ設け、これらのコントロールブロック２３の前記軸柱２５を定置台１２に係合するとともに、前記軸柱２５を、前記内管７内に挿通され前記内管７の伸縮を制御する連動糸８に連結して構成する。
【００１７】
前記第１部材２０と前記第２部材２１は、前後に重ね合わせることで、前記キャリーハンドルを構成する前後２つの部材であって、前記第１部材２０と前記第２部材２１との内部には、前記押し押しボタン３０と連設するボタン連動アーム３１が設けられている。このボタン連動アーム３１の両端側には、前記コントロールブロック２３の前記斜角係合溝部２４に係合可能な斜角ブロック３２が設けられて構成している。
【００１８】
このような構成によれば、キャリーハンドルの押し押しボタン３０により、前記一対の内管７の伸縮およびその定置付けを制御するとともに、前記定置台１２による前記キャリーハンドルの回転状態を制御して前記キャリーハンドルを垂直状態あるいは傾斜状態に調整可能とすることができ、スーツケース４０を動かす際、傾斜させなくても、キャリーハンドルを傾斜させて押す(引っ張る)だけで移動することができる。
【００１９】
ここで、キャリーハンドル（２０、２１）の回転機構及び角度調整機構のさらに具体的な構成について、図２から図４を用いて説明する。  
図２から図４に示すように、キャリーハンドル（２０、２１）の回転機構及び角度調整機構は、前記したように、一対の管台１０と、２つの定置台１２と、２つのコントロールブロック２３と、キャリーハンドルを構成する第１、第部材２０、２１及び押し押しボタン３０とで構成される。
【００２０】
一対の管台１０は、それぞれ内管７の上端に設置される。これらの管台１０の軸穴１１に、前記定置台１２が設置される。この定置台１２には、円形配列の内歯１３が設けられている。
【００２１】
前記キャリーハンドルを構成する第１、第２部材２０、２１内部の両端側には、定置槽２２が設けられている。この定置槽２２には、コントロールブロック２３が設置されるようになっている。
【００２２】
コントロールブロック２３の上端には、斜角係合溝部２４が設けられ、また、外側に軸柱２５が設けられている。この軸柱２５は、円形に配列する定置歯２６を有し、前記定置台１２の内歯１３に挿入し、内管７の連動線８と接続される。
【００２３】
また、押し押しボタン３０の両端には、前記ボタン連動アーム３１が連設され、このボタン連動アーム３１は、キャリーハンドルを構成する第１、第２部材２０、２１内に設置される。また、このボタン連動アーム３１の両端には、斜角ブロック３２が設けられ、これら斜角ブロック３２は、前記コントロールブロック２３の斜角係合溝部２４に嵌合される。また、蓋１４を用いて、それぞれの管台１０を蓋合している。
【００２４】
このような構成により、前記キャリーハンドルを回転可能でかつ回転角度の調整及び所望する角度の保持が可能である。
【００２５】
次に、このような構成のスーツケースのキャリーハンドル構造の作用及び機能効果について、図３から図６を用いて説明する。    
図３、図５の状態の場合、押し押しボタン３０は、非押下時で、上に突出した状態を示している。  
この場合、押しボタン３０と連設しているボタン連動アーム３１の斜角ブロック３２は、図３に示すように、コントロールブロック２３の斜角係合溝部２４に嵌合していない。このため、コントロールブロック２３は、第１、第２部材２０、２１の外側に突出した位置にあり、これに連動して連動糸８が、ばね部材等の引っ張り力により、下向きに移動する。
【００２６】
連動糸８の下端にある定置ほぞ９が、この連動糸８に連動して外管６内部において外側に突出した状態となり、その端部が内管７、外管６の動きを規制する。これにより、内管７が伸縮できず、その定置が保持される。
【００２７】
また、コントロールブロック２３の軸柱２５の定置歯２６は、定置台１２の内歯１３と噛合し、回転できないよう定置付けを形成するため、キャリーハンドルが固定され回転角度を変えることができないようになっている。
【００２８】
次に、使用者が押しボタン３０を押すと、図４に示すように、ボタン連動アーム３１の斜角ブロック３２が下降し、斜角ブロック３２がコントロールブロック２３の斜角係合溝部２４に嵌合することで、コントロールブロック２３が内側に移動するように作動する。
【００２９】
つまり、このコントロールブロック２３の移動に連動して、内管７内にある連動糸８を上方向に引っ張ることで、連動糸８の下端にある定置ほぞ９が図３に示す方向とは逆方向に後退し、内管７、外管６の動きを規制できなくなるため、内管７が伸縮(昇降)できる。
【００３０】
また、この時コントロールブロック２３が内側に作動するため、軸柱２５の定置歯２６が定置台１２の内歯１３より退き、軸柱２５は定置台１２の内歯１３と噛合しないため、キャリーハンドルを、図６に示すように角度を回転することができる。
【００３１】
そして、内管７が上方向に昇降し、キャリーハンドルを傾斜状態にした後、使用者は、押しボタン３０から手を離せば、図３に示す状態に戻り、軸柱２５の定置歯２６と定置台１２の内歯１３が再び噛合し、キャリーハンドルの角度を定置付けする。
【００３２】
以上、説明したように動作することにより、本実施例のスーツケースのキャリーハンドル構造は、図５に示すように、キャリーハンドル（２０、２１）を垂直の状態にしてその垂直状態を保持することができ、あるいは図６に示すように、傾斜した状態にしてその傾斜角度を保持することもできる。
【００３３】
また、図６に示すように傾斜角度にする場合、スーツケース４０を傾けなくとも、角度を変えたキャリーハンドルでスーツケースを押す(引っ張る)ことができる。すなわち、スーツケース４０を傾斜させないため、スーツケース４０の重さが外管６、内管７、キャリーハンドル（２０、２１）に荷重することも、使用者の手にスーツケース４０の重さがかかることもなく、楽にスーツケース４０を押す(引っ張る)ことができ、手が疲れにくく、使い勝手が向上する。
【００３４】
したがって、本実施例によれば、キャリーハンドルの形状を円形状に、且つキャリーハンドルの両端が回転可能でその回転角度を調整可能に構成することができるので、スーツケースを動かす際、スーツケース全体を傾斜させず、キャリーハンドルの角度を変えるだけで、楽に押して（或いは引っ張ったりして）移動することができ、手が疲れにくく、使い勝手が向上するといった効果を得る。
【００３５】
なお、本実施例において、キャリーハンドルは、円形状に構成したが、これに限定されるものではなく、例えば４角形状に構成するとともに、使用者が握りし易いように、その握る把持部の断面形状を円弧形状に構成しても良い。
【００３６】
本考案は、以上述べた実施例及び変形例に限定されるものではなく、考案の要旨を逸脱しない範囲で種々変形実施可能である。
【符号の説明】
【００３７】
６…外管、
７…内管、
８…連動糸
９…定置ほぞ、
１０…管台、
１１…軸穴、
１２…定置台、
１３…内歯、
１４…蓋、
２０、２１…第１、第２部材（キャリーハンドル）、
２２…定置槽、
２３…コントロールブロック、
２４…斜角係合溝部、
２５…軸柱、
２６…定置歯、
３０…押しボタン、
３１…ボタン連動アーム、
３２…斜角ブロック、
４０…スーツケース。
【図１】
0003154300.tif 000003
【図２】
0003154300.tif 000004
【図３】
0003154300.tif 000005
【図４】
0003154300.tif 000006
【図５】
0003154300.tif 000007
【図６】
0003154300.tif 000008
【図７】
0003154300.tif 000009